(57)【要約】【課題】育苗箱用土供給装置の供給シャッターにおいて、操作機構の設置スペースおよび作動スペースの広さによる装置の大型化。【解決手段】育苗箱の移送台１７の上方に位置する上部の供給ホッパー２と、該供給ホッパー２の下方に設けた繰出ベルト４と、前記供給ホッパー２と前記繰出ベルト４との間に形成された供給口５と、該供給口５に取付けた供給シャッタ−６とからなるなるものにおいて、供給シャッター６は、角軸部１１を有する枢支軸１０により前記移送台１７に固定のフレーム側板３１に軸装すると共に、前記枢支軸１０と軸芯方向を並行に設けた操作軸４５に固定の開閉操作ダイヤル５０により供給量を調節するように構成した育苗箱用土供給装置の供給シャッター。【選択図】図１
2008092865.tif 000002
【特許請求の範囲】
【請求項１】
育苗箱を移送する移送台１７の上方に位置する上部の供給ホッパー２と、該供給ホッパー２の下方に設けた繰出ベルト４と、前記供給ホッパー２と前記繰出ベルト４との間に形成された供給口５と、該供給口５に取付けた供給シャッタ−６とからなるなるものにおいて、該供給シャッター６は、角軸部１１を有する枢支軸１０により前記移送台１７に固定のフレーム側板３１に軸装すると共に、前記枢支軸１０と軸芯方向を並行に設けた操作軸４５に固定の開閉操作ダイヤル５０により供給量を調節するように構成した育苗箱用土供給装置の供給シャッター。
【請求項２】
請求項１において、前記操作軸４５は、側面視、前記角軸部１１より前記繰出ベルト４の移動方向前側であって、かつ、前記角軸部１１の軸芯より所定間隔上方に位置させた育苗箱用土供給装置の供給シャッター。
【請求項３】
請求項１または請求項２において、前記操作軸４５は、角軸部１１には半径の大きなギヤ４７を固定し、該ギヤ４７には該ギヤ４７より半径の小さな歯車４６を噛み合わせ、歯車４６は前記操作軸４５に固定した育苗箱用土供給装置の供給シャッター。
【請求項４】
請求項３において、前記歯車４６は、筒部材４６Ａの一端から中間位置までの外周に溝４６Ｂを形成し、該溝４６Ｂは一端側は開口し、筒部材４６Ａの中間部側は次第に浅くなるように形成した育苗箱用土供給装置の供給シャッター。
【請求項５】
請求項４において、前記枢支軸１０は、中間部に角軸部１１を、角軸部１１の両側に丸棒部１６をそれぞれ形成し、前記供給シャッター６の開閉弁７の左右側板８には前記角軸部１１より大き目の角孔１２を形成し、該角孔１２に前記角軸部１１をゆるく挿通させていずれか一方向に緩みが無くなる迄前記角軸部１１に対して回転させ、前記角軸部１１には前記角孔１２と略同一の大きさの角孔５５をギヤ４７に形成し、該ギヤ４７の前記角孔５５を前記角軸部１１に挿通させて設け、該ギヤ４７はいずれか他方向に緩みが無くなる迄前記角軸部１１に対して回転させたのち該ギヤ４７の回動部分を前記左右側板８のいずれか一方にネジ５７により固定した育苗箱用土供給装置の供給シャッター。
【請求項６】
育苗箱用土供給装置１のフレーム３０の左右のフレーム側板３１間に供給シャッター６を位置させ、一方のフレーム側板３１の透孔３２から枢支軸１０の一端を挿通し、供給シャッター６の一方の側板８の角孔１２に挿通し、側板８より内側に突き出た枢支軸１０の角軸部１１にギヤ４７の角孔５５を挿通し、次に、枢支軸１０の一端側の丸棒部１６を更に他方側に向けて移動させて、他方側の供給シャッター６の側板８の角孔１２に挿通し、次に、供給シャッター６の側板８をいずれか一方向に緩みが無くなる迄前記角軸部１１に対して回転させ、次に、ギヤ４７をいずれか他方向に緩みが無くなる迄前記角軸部１１に対して回転させたのち該ギヤ４７の回動部分の長孔５６にネジ５７を挿通して、前記左右側板８のいずれか一方にギヤ４７をネジ５７により固定した育苗箱用土供給装置の供給シャッターの取付方法。
【発明の詳細な説明】
【技術分野】
【０００１】
本発明は育苗箱用土供給装置の供給シャッターおよびその取付方法に関するものである。
【背景技術】
【０００２】
従来、上部の供給ホッパーと、該供給ホッパーの下部に設けた繰出ベルトと、前記供給ホッパーと前記繰出ベルトとの間に形成された供給口と、該供給口に取付けた供給シャッタ−とからなるなるものにおいて、前記供給ホッパーの左右側壁には枢支軸の両端を軸支し、枢支軸の端部には該枢支軸を回転させる手動回転レバーの基部を固定した構成は、公知である（特許文献１参照）。
【特許文献１】特開平５ー４９３１１号公報
【発明の開示】
【発明が解決しようとする課題】
【０００３】
前記公知例は、供給シャッターの回転軸となる枢支軸を直接レバーで回転させる構成のため、回動させたレバーの回動角がそのまま供給シャッターの回転角になるので、微妙な調節には不向きであるという課題がある。
そのため、レバーは所定長さを有して形成し、枢支軸の回転量に対してレバー先端の移動量を大きくして微妙な調節を行うようにしているが、その分、レバーの設置スペースのみならず、作動スペースも広く必要となる別の課題も発生している。
本願は、育苗箱用土供給装置の側面側に設けた開閉操作ダイヤルにより、操作性を向上させると共に、微妙な調節を可能にし、また、設置スペースおよび作動スペースを小さくしたものである。
【課題を解決するための手段】
【０００４】
本発明は、育苗箱を移送する移送台１７の上方に位置する上部の供給ホッパー２と、該供給ホッパー２の下方に設けた繰出ベルト４と、前記供給ホッパー２と前記繰出ベルト４との間に形成された供給口５と、該供給口５に取付けた供給シャッタ−６とからなるなるものにおいて、該供給シャッター６は、角軸部１１を有する枢支軸１０により前記移送台１７に固定のフレーム側板３１に軸装すると共に、前記枢支軸１０と軸芯方向を並行に設けた操作軸４５に固定の開閉操作ダイヤル５０により供給量を調節するように構成した育苗箱用土供給装置の供給シャッターとしたものである。
本発明は、前記操作軸４５は、側面視、前記角軸部１１より前記繰出ベルト４の移動方向前側であって、かつ、前記角軸部１１の軸芯より所定間隔上方に位置させた育苗箱用土供給装置の供給シャッターとしたものである。
本発明は、前記操作軸４５は、角軸部１１には半径の大きなギヤ４７を固定し、該ギヤ４７には該ギヤ４７より半径の小さな歯車４６を噛み合わせ、歯車４６は前記操作軸４５に固定した育苗箱用土供給装置の供給シャッターとしたものである。
本発明は、前記歯車４６は、筒部材４６Ａの一端から中間位置までの外周に溝４６Ｂを形成し、該溝４６Ｂは一端側は開口し、筒部材４６Ａの中間部側は次第に浅くなるように形成した育苗箱用土供給装置の供給シャッターとしたものである。
本発明は、前記枢支軸１０は、中間部に角軸部１１を、角軸部１１の両側に丸棒部１６をそれぞれ形成し、前記供給シャッター６の開閉弁７の左右側板８には前記角軸部１１より大き目の角孔１２を形成し、該角孔１２に前記角軸部１１をゆるく挿通させていずれか一方向に緩みが無くなる迄前記角軸部１１に対して回転させ、前記角軸部１１には前記角孔１２と略同一の大きさの角孔５５をギヤ４７に形成し、該ギヤ４７の前記角孔５５を前記角軸部１１に挿通させて設け、該ギヤ４７はいずれか他方向に緩みが無くなる迄前記角軸部１１に対して回転させたのち該ギヤ４７の回動部分を前記左右側板８のいずれか一方にネジ５７により固定した育苗箱用土供給装置の供給シャッターとしたものである。
本発明は、育苗箱用土供給装置１のフレーム３０の左右のフレーム側板３１間に供給シャッター６を位置させ、一方のフレーム側板３１の透孔３２から枢支軸１０の一端を挿通し、供給シャッター６の一方の側板８の角孔１２に挿通し、側板８より内側に突き出た枢支軸１０の角軸部１１にギヤ４７の角孔５５を挿通し、次に、枢支軸１０の一端側の丸棒部１６を更に他方側に向けて移動させて、他方側の供給シャッター６の側板８の角孔１２に挿通し、次に、供給シャッター６の側板８をいずれか一方向に緩みが無くなる迄前記角軸部１１に対して回転させ、次に、ギヤ４７をいずれか他方向に緩みが無くなる迄前記角軸部１１に対して回転させたのち該ギヤ４７の回動部分の長孔５６にネジ５７を挿通して、前記左右側板８のいずれか一方にギヤ４７をネジ５７により固定した育苗箱用土供給装置の供給シャッターの取付方法。
としたものである。
【発明の効果】
【０００５】
請求項１の発明では、枢支軸１０と軸芯方向を並行に設けた操作軸４５に固定の開閉操作ダイヤル５０により供給量を調節するので、育苗箱用土供給装置１の側方に作業者は位置して供給ホッパー２の供給口５を見ながら、供給量の調節を行え、操作性を向上させる。
請求項２の発明では、開閉操作ダイヤル５０を設ける操作軸４５の存在が、供給口５を見ながら行う供給量の調節に影響せず、調節作業の操作性を低下させない。
請求項３の発明では、開閉操作ダイヤル５０による供給量の微妙な調節を、簡単に実現できる。
請求項４の発明では、歯車４６とギヤ４７の噛み合いを確実にでき、操作を確実にできる。
請求項５の発明では、精度の高いプレス加工をすることなく形成しても、開閉弁７を角軸部１１にガタなく固定できるので、一つの開閉操作ダイヤル５０の操作を、一組の歯車４６とギヤ４７の噛み合いで供給シャッター６に伝達する構成でありながら、供給シャッター６の下縁を略水平に上下させることができる。
る供給量の微妙な調節を、簡単に実現できる。
請求項６の発明では、供給シャッター６の組立・組付を容易にできる。
【発明を実施するための最良の形態】
【０００６】
本発明の一実施例を図面により説明すると、１は育苗箱用土供給装置１であり、公知の育苗箱を移送する移送ローラを有する移送台１７の上方位置に設けられ、上部には供給ホッパー２を設け、供給ホッパー２の下方位置には前記育苗箱の移送方向に所定間隔を置いて設けた一対のローラー３に巻回させた繰出ベルト４を設けて構成する。
前記供給ホッパー２と前記繰出ベルト４との間に供給口５を形成し、該供給口５には供給量調節用の供給シャッター６を設ける。
【０００７】
図２は前記供給シャッター６の分解斜視図であり、供給シャッター６は、側面視円弧形状に形成した開閉弁７の両側に略直角に屈曲させた左右側板８を形成する。左右側板８には枢支軸１０の角軸部１１を挿通する角孔１２をそれぞれ形成する。角孔１２は角軸部１１の径より大きめに打ち抜き加工し、角軸部１１と角孔１２とは、ガタを持って嵌合するが、回転はしない大きさの関係を有して互いを形成して、角軸嵌合させる。
１５はネジ孔、１６は枢支軸１０の角軸部１１の両端の丸棒部である。
【０００８】
２０は補助板であり、前記左右側板８のうち何れか一方に取付ける。補助板２０には、側板８と同様に、角軸部１１の径より大きめに打ち抜き加工した角孔２１を形成し、角孔２１を角軸部１１にガタを持って角軸嵌合させる。２２は補助板２０に形成した長孔、２３は長孔２２を介してネジ孔１５に螺合させるネジである。
【０００９】
しかして、前記のように、左右側板８および補助板２０は、それぞれ単独では枢支軸１０の角軸部１１にガタを持って嵌合するが、左右側板８と補助板２０とは角軸部１１に対してそれぞれ反対側に捩った後、ネジネジ２３により互いを固定することでガタのない角軸嵌合にすることができる。
即ち、先ず、補助板２０の角孔２１を枢支軸１０の角軸部１１に挿通し、この状態の枢支軸１０の左右丸棒部丸棒部１６の一方を左右側板８の一方の角孔１２に差し込み、次に、枢支軸１０の左右丸棒部１６の他方を左右側板８の他方の角孔１２に差し込み、枢支軸１０の角軸部１１を左右の側板８の角孔１２に貫通させる。
【００１０】
つぎに、角軸部１１にガタをもって係合している開閉弁７を、角軸部１１に対して左右何れか一方側の例えば角軸部１１の軸芯中心に左回転方向に捩って、右回転方向には角軸部１１の外周と側板８の角孔１２の内周との間に隙間（ガタ）は残るが、枢支軸１０と開閉弁７との間の、左回転方向には隙間（ガタ）が残らないようにする。
つぎに、この状態のまま、今度は、補助板２０を角軸部１１に対して右回転方向に捩って、左回転方向にはガタが残るが、枢支軸１０と補助板２０との間に、右回転方向にはガタが残らないようにする。
【００１１】
このように、側板８と補助板２０とを角軸部１１に対して一方向のみにガタが残る状態にしてから、両者をネジ２３で固定する。これにより、全体として、左右側板８および補助板２０は、角軸部１１に対してガタのない角軸嵌合とすることができる。
しかして、前記枢支軸１０の左右丸棒部１６は前記供給ホッパー２の育苗箱用土供給装置１のフレーム３０の左右フレーム側板３１の透孔３２から外方に突出させて回転のみ自在に軸装する。
【００１２】
前記フレーム側板３１の透孔３２は、丸棒部１６より大径の角軸部１１よりも更に大径に形成し、所謂透孔３２は「バカ孔」に形成し、フレーム３０のフレーム側板３１の外側から枢支軸１０を挿通できるようにすると共に、透孔３２に対して枢支軸１０の左右何れか一方側上下させて、後述する操作部支持板４０により固定すると、開閉弁７の左右の高さ調節可能な構成となり、透孔３２は高さ調節用孔としても作用する。
【００１３】
左右フレーム側板３１の外側に突出する枢支軸１０の左右丸棒部１６には左右一対の操作部支持板４０の挿通孔４１を挿通する。操作部支持板４０は、ボルト４２によりフレーム側板３１に固定する。
このとき、左右の操作部支持板４０のうち一方の操作部支持板４０は、枢支軸１０の丸棒部１６の径より大きめに形成したフレーム側板３１の透孔３２に対して、枢支軸１０の丸棒部１６と共に上下させることにより、開閉弁７の左右の微妙な高さのバランスを修正してから、ボルト４２で固定する。４３は操作部支持板４０の取付孔、４４はフレーム側板３１の取付孔である。
【００１４】
しかして、操作部支持板４０の一部は、フレーム側板３１より外側に突出させ、該突出部に操作軸４５を軸装する。操作軸４５には歯車４６を固定し、歯車４６にはギヤ４７を噛み合わせる。ギヤ４７は前記枢支軸１０に固定する。
前記歯車４６は、通常のスプロケットも使用可能であるが、実施例では、筒部材４６Ａの一端から中間位置までの外周に溝４６Ｂを形成し、該溝４６Ｂは一端側は開口し、筒部材４６Ａの中間部側は次第に浅くなるように形成する。
【００１５】
したがって、歯車４６は、操作軸４５を操作部支持板４０に挿通した後に、溝４６Ｂの開口した溝からギヤ４７に噛み合わせて、螺子４９により固定すると、ギヤ４７と歯車４６との噛み合いが外れなくなり、好適である。
操作軸４５の左右何れか一端には開閉操作ダイヤル５０を固定し、開閉操作ダイヤル５０により歯車４６を回転させると、ギヤ４７が枢支軸１０中心に回動し、ギヤ４７は枢支軸１０を回転させ、枢支軸１０の回転により開閉弁７の開閉量を調節する。
【００１６】
したがって、育苗箱用土供給装置１の側板８に対して、開閉操作ダイヤル５０は側方に突き出すように設けられているから、側方から、供給ホッパー２と繰出ベルト４との間の供給口５を見ながら、供給量調節用の供給シャッター６を開閉して供給量の調節を行える。
この場合、開閉操作ダイヤル５０と操作部支持板４０との間には、圧縮コイルバネ５１を設け、前記供給シャッター６が自重で閉まらないように、操作軸４５の回転に抵抗を与えている。
【００１７】
しかして、前記ギヤ４７には、前記補助板２０と同様に、角軸部１１の径より大きめに打ち抜き加工した角孔５５を形成し、角孔５５を角軸部１１にガタを持って角軸嵌合させる。５６はギヤ４７に形成した長孔、５７は長孔５６を介してネジ孔５８に螺合させるネジ５７である。
【００１８】
ギヤ４７は、ギヤ４７の角孔５５を枢支軸１０の角軸部１１に挿通後、枢支軸１０の丸棒部１６を側板８の角孔１２から貫通させ、つぎに、角軸部１１にガタをもって係合している開閉弁７を角軸部１１に対して左右何れか一方側の例えば左回転方向に捩って、右回転方向には隙間（ガタ）は残るが、枢支軸１０と開閉弁７との間に、左回転方向には隙間（ガタ）が残らないようにし、つぎに、この状態のまま、今度は、ギヤ４７を角軸部１１に対して右回転方向に捩って、左回転方向にはガタが残るが、枢支軸１０とギヤ４７との間に、右回転方向にはガタが残らないようし、側板８とギヤ４７とをネジ５７で固定する。
【００１９】
これにより、全体として、左右側板８と補助板２０とギヤ４７とは、角軸部１１に対してガタのない角軸嵌合とすることができる。
そのため、ギヤ４７は供給シャッター６の組立強度を強化する強度メンバーの一部としても作用する。なお、ギヤ４７を設けることにより、枢支軸１０とギヤ４７との間にはガタを発生させずに、側板８と角軸部１１とを固定できるので、補助板２０は無くてもガタは発生せず、省略可能である。
【００２０】
（実施例の作用）
次に作用を述べる。
本発明は以上の構成であり、育苗箱用土供給装置１のフレーム３０の左右のフレーム側板３１間に供給シャッター６を位置させ、一方のフレーム側板３１の透孔３２から枢支軸１０を挿通し、供給シャッター６の一方の側板８の角孔１２に挿通し、側板８より内側に突き出た枢支軸１０の角軸部１１に補助板２０の角孔２１とギヤ４７の角孔５５を挿通する。
【００２１】
次に、枢支軸１０の一方の丸棒部１６を更に他方側に向けて移動させて、他方側の供給シャッター６の側板８の角孔１２に挿通する。
この状態では、フレーム３０の左右のフレーム側板３１間に、供給シャッター６と補助板２０とギヤ４７とが位置する。
【００２２】
しかして、枢支軸１０の角軸部１１にガタをもって係合している開閉弁７を角軸部１１に対して左右何れか一方の、例えば、角軸部１１の軸芯中心に左回転方向に捩ると（回すと）、右回転方向にはガタが残るが、左回転方向にはガタが残らない状態になる。
次に、補助板２０およびギヤ４７を角軸部１１に対して右回転方向に捩って、左回転方向には隙間は残るが、右回転方向には隙間が残らない状態とする。
【００２３】
この状態のまま補助板２０およびギヤ４７をネジ２３、５７をそれぞれの長孔２２、５６に挿通して、それぞれネジ孔１５に螺合させ、補助板２０およびギヤ４７を開閉弁７に固定する。
【００２４】
これにより、供給シャッター６は全体として、左右側板８および補助板２０ならびにギヤ４７は、角軸部１１に対してガタのない角軸嵌合させることができる。
次に、左右フレーム側板３１の外側に突出する枢支軸１０の左右丸棒部１６には左右一対の操作部支持板４０の挿通孔４１のそれぞれを挿通し、一方側の丸棒部１６と操作部支持板４０をボルト４２で仮止めし、他方側の丸棒部１６を透孔３２内に対して上下させ、開閉弁７の下縁を繰出ベルト４の上面と略平行になるように高さ調節し、左右の操作部支持板４０は、ボルト４２によりフレーム側板３１に固定する。
【００２５】
操作部支持板４０の挿通孔４８に操作軸４５を挿通し、この操作軸４５に歯車４６を挿通し、操作軸４５の他端を他方の操作部支持板４０の挿通孔４８に挿通し、歯車４６をギヤ４７に噛み合わせ、歯車４６を操作軸４５に螺子で固定し、操作軸４５の端部に開閉操作ダイヤル５０を固定する。
【００２６】
しかして、供給シャッター６は、枢支軸１０のギヤ４７を、ギヤ４７に噛み合う歯車４６を開閉操作ダイヤル５０により回転させて供給量を調節するので、微妙な調節ができる。
即ち、枢支軸１０をレバーで回転させると、レバーの回動角がそのまま供給シャッター６の回転角になるので、微妙な調節には不向きであるが、本願の供給シャッター６は、ギヤ４７を半径を大にしたギヤにより形成し、歯車４６は小径の歯車により形成しているから、開閉操作ダイヤル５０の回転量に対するギヤ４７の回動量は遥かに小さくでき、供給量を調節するに当たって微妙な調節ができる。
【００２７】
この場合、育苗箱用土供給装置１の側板８に対して、開閉操作ダイヤル５０は側方に突き出すように設けられているから、側方（横）から、供給ホッパー２と繰出ベルト４との間の供給口５を見ながら、供給量調節用の供給シャッター６を開閉して供給量の調節を行え、一層、微妙な調節が可能となる。
また、レバーによる調節では、土供給作業中に接触すると、すぐにレバー自体が動いて供給シャッター６の位置が狂うことがあるが、本願の開閉操作ダイヤル５０は、土供給作業中に、例え、作業者の身体が触れてもすぐに回転することはないので、供給シャッター６の位置が狂うことを防止する。
【００２８】
また、開閉操作ダイヤル５０は、操作軸４５の軸芯中心に回転するだけであるから、開閉操作ダイヤル５０の作動スペースは開閉操作ダイヤル５０の直径と一致して、作動スペースを非常に小さくでき、育苗箱用土供給装置１の移送台１７の上方空間を占有する容積を小さくし、移送台１７をコンパクトにするのに貢献できる。
【図面の簡単な説明】
【００２９】
【図１】土供給装置の側面図。
【図２】供給シャッターの分解斜視図。
【図３】供給シャッターの側面図。
【図４】供給シャッターの縦断正面図。
【図５】歯車の断面図。
【図６】同斜視図。
【符号の説明】
【００３０】
１…育苗箱用土供給装置、２…供給ホッパー、３…ローラー、４…繰出ベルト、５…供給口、６…供給シャッター、７…開閉弁、８…側板、１０…枢支軸、１１…角軸部、１２…角孔、１５…ネジ孔、１６…丸棒部、１７…移送台、２０…補助板、２１…角孔、２２…長孔、２３…ネジ、３０…フレーム、３１…フレーム側板、３２…透孔、４０…操作部支持板、４１…挿通孔、４２…ボルト、４３…取付孔、４４…取付孔、４５…操作軸、４６…歯車、４７…ギヤ、５０…開閉操作ダイヤル、５１…バネ、５５…角孔、５６…長孔、５７…ネジ、５８…ネジ孔。
【図１】
2008092865.tif 000003
【図２】
2008092865.tif 000004
【図３】
2008092865.tif 000005
【図４】
2008092865.tif 000006
【図５】
2008092865.tif 000007
【図６】
2008092865.tif 000008